(57)【要約】【課題】電気機器収納用箱に備えられ、フィルタを内蔵した換気装置において、フィルタの着脱作業を、筐体外側あるいは筐体内側の何れからも行える構造を提供すること。【解決手段】電気機器収納用箱に備えられ、フィルタを内蔵した換気装置において、該換気装置は、電気機器収納用箱の筐体本体に取り付けられるベース部１と、フィルタを収納するフィルタ収納部３を備え、前記ベース部１を筐体に取り付けたままで、筐体の内側及び外側の双方からフィルタを着脱可能としたフィルタ着脱用の開口部４を、該フィルタ収納部３に形成した。【選択図】図１
2014114980.tif 000002
【特許請求の範囲】
【請求項１】
電気機器収納用箱に備えられ、フィルタを内蔵した換気装置であって、
電気機器収納用箱の筐体本体に取り付けられるベース部と、フィルタを収納するフィルタ収納部を有し、
前記ベース部を筐体に取り付けたままで、筐体の内側及び外側の双方からフィルタを着脱可能としたフィルタ着脱用の開口部を、該フィルタ収納部に形成したことを特徴とする電気機器収納用箱の換気装置。
【請求項２】
該フィルタ着脱用の開口部を、筐体の内側及び外側の双方から被覆して、フィルタ収納部に収納されたフィルタの脱落を防止するフィルタ脱落防止部材を、ベース部と着脱自在に備えることを特徴とする請求項１記載の電気機器収納用箱の換気装置。
【請求項３】
該ベースは、筐体の内側の開口部周縁にフィルタ脱落防止片を備えることを特徴とする請求項２記載の電気機器収納用箱の換気装置。
【請求項４】
筐体の内側から被覆する該フィルタ脱落防止部材は、弾性変形可能なワイヤー状の部材であり、該フィルタ脱落防止片に係止されることを特徴とする請求項３記載の電気機器収納用箱の換気装置。
【請求項５】
該フィルタ着脱用の開口部を、筐体の内側及び外側の双方から被覆して、フィルタ収納部に収納されたフィルタの脱落を防止するフィルタ脱落防止部材を備え、該フィルタ脱落防止部材のうち、該フィルタ着脱用の開口部を筐体の内側から被覆するもの、あるいは、筐体の外側から被覆するものの少なくとも一方を、ベース部に回動可能に備えることを特徴とする請求項１記載の電気機器収納用箱の換気装置。
【請求項６】
該フィルタ着脱用の開口部を、筐体の内側及び外側の双方から被覆して、フィルタ収納部に収納されたフィルタの脱落を防止するフィルタ脱落防止部材を備え、該フィルタ脱落防止部材のうち、該フィルタ着脱用の開口部を筐体の内側から被覆するもの、あるいは、筐体の外側から被覆するものの少なくとも一方を、該換気装置の通風方向とは異なる方向から着脱自在に備えることを特徴とする請求項１記載の電気機器収納用箱の換気装置。
【請求項７】
該フィルタ着脱用の開口部を、筐体の内側及び外側の双方から被覆して、フィルタ収納部に収納されたフィルタの脱落を防止するフィルタ脱落防止部材を備え、該フィルタ脱落防止部材のうち、該フィルタ着脱用の開口部を筐体の内側から被覆するもの、あるいは、筐体の外側から被覆するものの少なくとも一方を、ベース部にスライド可能に備えることを特徴とする請求項１記載の電気機器収納用箱の換気装置。
【請求項８】
該フィルタ収納部を、ベース部に回動可能に備えることを特徴とする請求項１記載の電気機器収納用箱の換気装置。
【請求項９】
該フィルタ収納部を、ベース部にスライド可能に備えることを特徴とする請求項１記載の電気機器収納用箱の換気装置。
【発明の詳細な説明】
【技術分野】
【０００１】
本発明は、電気機器収納用箱の換気装置に関するものである。
【背景技術】
【０００２】
電気機器収納用箱の筐体内を換気する換気装置としては、塵埃や雨等の筐体内への侵入を防止するためのフィルタを備えたもの（例えば、特許文献１〜３）が広く採用されている。これらのフィルタは、換気装置のメンテナンス時に交換可能なように、着脱自在に設けられている。
【０００３】
従来、フィルタの着脱方向は、筐体外側（特許文献１）あるいは筐体内側（特許文献２、３）の何れか一方に限定されており、不都合であるという問題があった。具体的には、例えば、特許文献１のように筐体外側からのフィルタ着脱が予定されているものでは、筐体に遮光板が取り付けられ、この遮光板の内側に換気装置が設置されていると、筐体外側からのフィルタの着脱が困難であり、一方、特許文献２、３のように筐体内側からのフィルタ着脱が予定されているものでは、筐体内のスペース一杯に機器が搭載されている場合、筐体内側からのフィルタの着脱が困難である。このため、換気性能が同一であっても、フィルタの着脱方向が異なる２種類の製品を製造する必要があり、生産性の観点から好ましくない。
【先行技術文献】
【特許文献】
【０００４】
【特許文献１】特許第４７４８７１０号公報
【特許文献２】特許第４７３０８７０号公報
【特許文献３】特許第４９３７１８７号公報
【発明の概要】
【発明が解決しようとする課題】
【０００５】
本発明の目的は前記の問題を解決し、電気機器収納用箱に備えられ、フィルタを内蔵した換気装置において、フィルタの着脱作業を、筐体外側あるいは筐体内側の何れからも行える構造を提供することである。
【課題を解決するための手段】
【０００６】
上記課題を解決するためになされた本発明の電気機器収納用箱の換気装置は、フィルタを内蔵した換気装置であって、該換気装置は、電気機器収納用箱の筐体本体に取り付けられるベース部と、フィルタを収納するフィルタ収納部を有し、前記ベース部を筐体に取り付けたままで、筐体の内側及び外側の双方からフィルタを着脱可能としたフィルタ着脱用の開口部を、該フィルタ収納部に形成したことを特徴とするものである。
【０００７】
請求項２記載の発明は、請求項１記載の電気機器収納用箱の換気装置において、該フィルタ着脱用の開口部を、筐体の内側及び外側の双方から被覆して、フィルタ収納部に収納されたフィルタの脱落を防止するフィルタ脱落防止部材を、ベース部と着脱自在に備えることを特徴とするものである。
【０００８】
請求項３記載の発明は、請求項２記載の電気機器収納用箱の換気装置において、該ベースから延設したフィルタ脱落防止片を備えることを特徴とするものである。
【０００９】
請求項４記載の発明は、請求項３記載の電気機器収納用箱の換気装置において、筐体の内側から被覆する該フィルタ脱落防止部材は、弾性変形可能なワイヤー状の部材であり、該フィルタ脱落防止片に係止されることを特徴とするものである。
【００１０】
請求項５記載の発明は、請求項１記載の電気機器収納用箱の換気装置において、該フィルタ脱落防止部材のうち、該フィルタ着脱用の開口部を筐体の内側から被覆するもの、あるいは、筐体の外側から被覆するものの少なくとも一方を、ベース部に回動可能に備えることを特徴とするものである。
【００１１】
請求項６記載の発明は、請求項１記載の電気機器収納用箱の換気装置において、該フィルタ脱落防止部材のうち、該フィルタ着脱用の開口部を筐体の内側から被覆するもの、あるいは、筐体の外側から被覆するものの少なくとも一方を、該換気装置の通風方向とは異なる方向から着脱自在に備えることを特徴とするものである。
【００１２】
請求項７記載の発明は、請求項１記載の電気機器収納用箱の換気装置において、該フィルタ脱落防止部材のうち、該フィルタ着脱用の開口部を筐体の内側から被覆するもの、あるいは、筐体の外側から被覆するものの少なくとも一方を、ベース部にスライド可能に備えることを特徴とするものである。
【００１３】
請求項８記載の発明は、請求項１記載の電気機器収納用箱の換気装置において、該フィルタ収納部を、ベース部に回動可能に備えることを特徴とするものである。
【００１４】
請求項９記載の発明は、請求項１記載の電気機器収納用箱の換気装置において、該フィルタ収納部を、ベース部にスライド可能に備えることを特徴とするものである。
【発明の効果】
【００１５】
本発明によれば、電気機器収納用箱の換気装置において、該換気装置を、電気機器収納用箱の筐体本体に取り付けられるベース部と、フィルタを収納するフィルタ収納部から構成し、前記ベース部を筐体に取り付けたままで、筐体の内側及び外側の双方からフィルタを着脱可能としたフィルタ着脱用の開口部を、該フィルタ収納部に形成することにより、フィルタの着脱作業を、筐体外側あるいは筐体内側の何れからも行うことが可能となる。すなわち、従来、フィルタの着脱方向ごとに２種類の製品を製造する必要があったところ、本発明によれば、１種類の製品に統合することができ、生産性の向上をはかることができる。
【００１６】
請求項２記載の発明によれば、フィルタ着脱用の開口部を、筐体の内側及び外側の双方から被覆して、フィルタ収納部に収納されたフィルタの脱落を防止するフィルタ脱落防止部材を、ベース部と着脱自在に備えることにより、不意にフィルタが筐体内側及び筐体外側に脱落することを防ぐことができる。
【００１７】
請求項３記載の発明によれば、ベースは、筐体の内側の開口部周縁にフィルタ脱落防止片を備えることにより、筐体の内側のフィルタ脱落防止部材とフィルタ脱落防止片の両方でフィルタを筐体の内側に脱落することを防止し、筐体の内側のフィルタ脱落防止部材を開口部から外した際に、誤ってフィルタが脱落し、内部機器へ落下することを防ぐことができる。
【００１８】
筐体の内側から被覆するフィルタ脱落防止部材は、弾性変形可能なワイヤー状の部材であり、フィルタ脱落防止片に係止されることにより、簡易な構造で、工具を使用することなく容易にフィルタ着脱防止部材をベース部から着脱することができる。
【００１９】
請求項５記載の発明によれば、フィルタ脱落防止部材のうち、フィルタ着脱用の開口部を筐体の内側から被覆するもの、あるいは、筐体の外側から被覆するものの少なくとも一方を、ベース部に回動可能に備えることにより、フィルタの交換作業時には、フィルタ脱落防止部材を回動させるだけで、フィルタ着脱用の開口部を露出させることができ、作業性の向上を図ることができる。
【００２０】
請求項６記載の発明によれば、フィルタ脱落防止部材のうち、フィルタ着脱用の開口部を筐体の内側から被覆するもの、あるいは、筐体の外側から被覆するものの少なくとも一方を、該換気装置の通風方向とは異なる方向から着脱自在に備えることにより、筐体正面や筐体内部からのフィルタ着脱作業が困難な場合であっても、筐体の上下方向または左右方向からフィルタの着脱が可能となる。
【００２１】
請求項７記載の発明によれば、フィルタ脱落防止部材のうち、フィルタ着脱用の開口部を筐体の内側から被覆するもの、あるいは、筐体の外側から被覆するものの少なくとも一方を、ベース部にスライド可能に備えることにより、フィルタの交換作業時には、フィルタ脱落防止部材をスライドさせるだけで、フィルタ着脱用の開口部を露出させることができ、作業性の向上を図ることができる。
【００２２】
請求項８記載の発明によれば、フィルタ収納部を、ベース部に回動可能に備えることにより、フィルタの交換作業時には、フィルタ収納部を回動させてフィルタ着脱用の開口部を露出させることができ、作業性の向上を図ることができる。
【００２３】
請求項９記載の発明によれば、フィルタ収納部を、ベース部にスライド可能に備えることにより、フィルタの交換作業時には、フィルタ収納部をスライドさせてフィルタ着脱用の開口部を露出させることができ、作業性の向上を図ることができる。
【図面の簡単な説明】
【００２４】
【図１】実施形態１の分解斜視図である。（筐体外側方向から見た図）
【図２】実施形態１の分解斜視図である。（筐体内側方向から見た図）
【図３】実施形態１の分解側面図である。
【図４】実施形態１の断面図である。
【図５】実施形態１の斜視図である。（筐体内側方向から見た図）
【図６】実施形態２の分解斜視図である。（筐体内側方向から見た図）
【図７】実施形態３の側面図である。
【図８】実施形態３の側面図である。
【図９】実施形態４の側面図である。
【図１０】実施形態６の側面図である。
【図１１】実施形態７の分解斜視図である。（筐体内側方向から見た図）
【図１２】実施形態７の側面図である。
【図１３】実施形態８の正面図である。（筐体内側方向から見た図）
【図１４】実施形態９の側面図である。
【図１５】実施形態９の全体斜視図である。
【図１６】実施形態１０の側面図である。
【発明を実施するための形態】
【００２５】
本発明は、電気機器収納用箱の換気装置において、該換気装置を、電気機器収納用箱の筐体本体に取り付けられるベース部と、フィルタを収納するフィルタ収納部から構成し、前記ベース部を筐体に取り付けたままで、筐体の内側及び外側の双方からフィルタを着脱可能としたフィルタ着脱用の開口部を、該フィルタ収納部に形成することにより、フィルタの着脱作業を、筐体外側あるいは筐体内側の何れからも行うことが可能としたものである。以下に本発明を構成する電気機器収納用箱の換気装置の好ましい実施形態（実施形態１〜１０）を示す。
【００２６】
（実施形態１）
実施形態１の電気機器収納用箱の換気装置は、図１〜図５に示すように、電気機器収納用箱の筐体６本体に取り付けられるベース部１と、フィルタ２を収納するフィルタ収納部３と、該フィルタ収納部３に形成されたフィルタ着脱用の開口部４と、該フィルタ着脱用の開口部４を、筐体６の内側及び外側の双方から被覆して、フィルタ収納部３に収納されたフィルタ２の脱落を防止するフィルタ脱落防止部材５から構成されている。本実施形態において、ベース部１は、フィルタ収納部３が筐体６の換気口に、筐体６の外側から嵌め込まれた後、ネジ７で固定されている。
【００２７】
本実施形態において、換気装置の外形状は、四角型の形状としているが、筐体の換気口の形状に応じて、丸型等、他の形状とすることもできる。換気装置の材質は金属もしくは樹脂が好ましい。
【００２８】
ベース部１は、凹状に形成されており、この凹状部の内側をフィルタ収納部３としている。
【００２９】
フィルタ収納部３には、ベース部１を筐体６に取り付けたままで、筐体６の内側及び外側の双方からフィルタ２を着脱可能としたフィルタ着脱用の開口部４が形成されている。
【００３０】
本実施形態では、ベース部１の中央部を開口して形成した通風口をフィルタ着脱用の開口部４として使用している。
【００３１】
ベース部１には外側取付部８と内側取付部９が形成されている。
【００３２】
外側取付部８は、ベース部１を筐体６に取り付けるため、および後述する外側フィルタ脱落防止部材５１をベース部１に取り付けるために使用され、内側取付部９は、後述する内側フィルタ脱落防止部材５２をベース部取付けるために使用される。
【００３３】
外側取付部８は、図３に示すように、筐体１の側壁に当接して取り付けられる。本実施形態では、ネジ７によって取付けを行っているが、取付方法は特に限定されず、爪による取付等とすることもできる。
【００３４】
内側取付部９は、図２に示すように、フィルタ着脱用の開口部４の周縁に形成されている。本実施形態では、内側取付部９は、フィルタ着脱用の内側開口部４２をフィルタ着脱用の外側開口部４１に比べて狭めるフィルタ脱落防止片３７であり、フィルタ脱落防止片３７は、フィルタ着脱用の内側開口部４２の周縁に凹状部側面３８より略垂直に突出形成されている。フィルタを筐体の内側から着脱する場合は、フィルタを変形させてフィルタ着脱用の内側開口部４２を通過させる必要がある。このように、フィルタ脱落防止片を備えることにより、筐体の内側のフィルタ脱落防止部材とフィルタ脱落防止片の両方でフィルタを筐体の内側に脱落することを防止し、筐体の内側のフィルタ脱落防止部材を開口部から外した際に、誤ってフィルタが脱落し、内部機器へ落下することを防ぐことができる。また、フィルタ脱落防止片３７は凹状部側面３８のうち上下方向もしくは左右方向からのみ形成されるものでもよく、形状は突片状でもよい。
【００３５】
本実施形態はベース部１を筐体６の外側から換気口に嵌め込んで取り付ける構造としたが、ベース部１を筐体６の内側から嵌め込んで取り付け、ベース部１の筐体内側及び外側のそれぞれにフィルタ脱落防止部材を取り付ける構造とすることもできる。
【００３６】
フィルタ脱落防止部材５は、筐体６の外側に取り付ける外側フィルタ脱落防止部材５１と、筐体６の内側に取り付ける内側フィルタ脱落防止部材５２から構成され、何れも、ベース部１に着脱可能に取り付けられる。
【００３７】
外側フィルタ脱落防止部材５１は、前後方向に通風させる通風口１０を備え、ガラリ形状をした外側ルーバカバー１１とサブルーバカバー１２より構成され、爪部３４及びネジ７によってベース部１の外側取付部８に取り付けられている。取付方法は、着脱自在であれば特に限定されず、例えばネジのみによる取付方法も可能である。また、防塵・防水性能を高めるために上記の2重構造のルーバとしたが、これに限定されず、1枚のルーバや、ルーバではなく通風口を有するフィルタ脱落防止部材でもよい。
【００３８】
内側フィルタ脱落防止部材５２は、弾性変形可能なワイヤー状の部材であり、凹状部側面３８に当接する凹状部当接部３９、フィルタ脱落防止片３７に当接するフィルタ脱落防止片係止部４０、フィルタ着脱用の内側開口部４２からのフィルタの脱落を防止するフィルタ脱落防止部１３及び開放部４３より構成される。また、内側フィルタ脱落防止部材５２は、開放部４３により簡単に撓ませることができ、撓ませた内側フィルタ脱落防止部材５２をフィルタ着脱用の内側開口部４２に通過させ、凹状部当接部３９が凹状部側面３８に当接し、フィルタ脱落防止片係止部４０がフィルタ脱落防止片３７に係止されることによって、内側フィルタ脱落防止部材５２がベース部１に取り付けられる。形状は図１、２に示すように凹凸状に折り曲げ形成したものに限定されず、例えば多角形状や棒状に形成したものなどでもよい。このように、簡易な構造で、工具を使用することなく容易に内側フィルタ着脱防止部材をベース部から着脱することができる。
【００３９】
上記実施形態によれば、筐体６に遮光板が取り付けられ、この遮光板の内側に換気装置が設置されていて筐体外側からのフィルタの着脱が困難である場合には、筐体内側から内側フィルタ脱落防止部材５２を取り外し、ベース部１のフィルタ着脱用の開口部４からフィルタ２を着脱することができる。また、筐体内のスペース一杯に機器が搭載されていて、筐体内側からのフィルタの着脱が困難である場合には、筐体外側から外側フィルタ脱落防止部材５１を取り外し、ベース部１のフィルタ着脱用の開口部４からフィルタ２を着脱することができる。
【００４０】
（実施形態２）
上記実施形態１では、内側取付部９はフィルタ脱落防止片３７であり、内側フィルタ脱落防止部材５２は、弾性変形可能なワイヤー状の部材であり、フィルタ脱落防止片に係止されることによってベース部１に取り付けられるが、図６に示す実施形態２では、内側取付部９は、ネジ７及び爪部３５により内側フィルタ脱落防止部材５２を取り付けることが可能である。他の基本構成は実施形態１と同様である。
【００４１】
内側取付部９は、図６に示すように、フィルタ着脱用の開口部４の周縁に形成されている。本実施形態は、内側フィルタ脱落防止部材５２はネジ７及び爪部３５によってベース部１に取り付けられるが、取付方法は着脱自在であれば特に限定されず、例えばネジのみによる取付方法も可能である。
【００４２】
内側フィルタ脱落防止部材５２は、前後方向に通風させる通風口１０を有する板状部材からなり、爪部３５及びネジ７ねじによってベース部１の内側取付部９に取り付けられている。内側フィルタ脱落防止部材５２の通風口１０には、通風口１０からのフィルタ２の脱落を防止すべく、十字形状のフィルタ脱落防止部１３を設けている。フィルタ脱落防止部１３の形状は、十字形状に限定されず、その他、三角形状やスリット形状など如何なる形状でもよい。
【００４３】
（実施形態３）
上記実施形態２では、内側フィルタ脱落防止部材５２は、爪部３５及びネジ７によってベース部１の内側取付部９に取り付けられていたが、図７、８に示す実施形態３では、ベース部１に回動可能に取り付けられている。このように、内側フィルタ脱落防止部材５２をベース部１に回動可能に備えることにより、筐体６の内側からフィルタ２の着脱を行う際には、内側フィルタ脱落防止部材５２を回動させるだけで、フィルタ着脱用の開口部４を露出させてフィルタ２を着脱することができる。他の基本構成は実施形態２と同様である。
【００４４】
回動構造は特に限定されないが、本実施形態では、ベース部１の下端部に回動軸部１４と当接部１６を形成し、内側フィルタ脱落防止部材５２の下端部に開口端部３６を有する切欠状の長孔部１５を形成し、回動軸部１４を長孔部１５に沿って回動摺動自在かつ着脱自在に軸支している。内側フィルタ脱落防止部材５２は自重により回動する。内側フィルタ脱落防止部材５２は当接部１６に当接して保持される。長孔部１５には、回動軸部１４が勘合する凹状の規制部１７が形成され、回動軸部１４が規制部１７に位置した状態では、内側フィルタ脱落防止部材５２がベース部１に対し、鋭角に保持される構造としている。
【００４５】
本実施形態では、外側フィルタ脱落防止部材５１は実施形態１と同様に着脱自在に形成しているが、内側フィルタ脱落防止部材５２と同様に回動可能に形成することもできる。また、回動の方向も、特に限定されず、回動軸部１４をベース部１の上端部に設け、長孔部１５を内側フィルタ脱落防止部材５２の上端部に設けて、上記実施形態とは反対方向に回動させることもできる。
【００４６】
（実施形態４）
実施形態４では、図９に示すように、凹状に形成されたベース部１の凹状部上面１８から背面上端部１９に亘ってフィルタ着脱用の開口部４を形成している。上記実施形態１、２、３では、何れも、フィルタ２は、該換気装置の通風方向の向きから着脱される構造となっているが、実施形態３では、前記位置にフィルタ着脱用の開口部４を形成することにより、フィルタ２の着脱を、上方向から行うことができる。当該構造は、スペースの制約により、筐体正面や筐体内部からのフィルタ着脱作業が困難な場合に有効である。
【００４７】
このフィルタ着脱用の開口部４は、内側フィルタ脱落防止部材５２で被覆されている。本実施形態の内側フィルタ脱落防止部材５２は通風方向を塞ぐ位置には配置されないため、通風口は有さない。
【００４８】
なお、ベース部１が凹状に形成されており、この凹状部の内側をフィルタ収納部３としている点、および、ベース部１の中央部を開口して通風口を形成している点は上記実施形態１、２と同様であるが、本実施形態では、上記実施形態１、２、３のようにベース部１の中央部を開口して形成した通風口をフィルタ着脱用の開口部としては使用せず、この通風口には、通風口からのフィルタ２の脱落を防止すべく、十字形状のフィルタ脱落防止部２０を設けている。フィルタ脱落防止部２０の形状は、十字形状に限定されず、その他、三角形状やスリット形状など如何なる形状でもよい。
【００４９】
（実施形態５）
上記実施形態４では、凹状に形成されたベース部１の凹状部上面１８から背面上端部１９に亘ってフィルタ着脱用の開口部４を形成して、フィルタ２の着脱を上方向から行えるようにしたが、他の実施形態として、凹状に形成されたベース部１の凹状部側面から背面に亘ってフィルタ着脱用の開口部を形成して、フィルタの着脱を横方向から行えるようにすることもできる。当該構造も、実施形態４同様、スペースの制約により、筐体正面や筐体内部からのフィルタ着脱作業が困難な場合に有効である。
【００５０】
（実施形態６）
上記実施形態１〜５では、ベース部１のフィルタ収納部３を筐体６の換気口に嵌め込んで固定しているが、実施形態６では、図１０に示すように、ベース部１全体を筐体６の外側に配置している。
【００５１】
ベース部１を、凹状に形成し、この凹状部の内側をフィルタ収納部３としている点、および、ベース部１の中央部を開口して形成した通風口２１をフィルタ着脱用の開口部４として使用している点は実施形態１、２、３と同様であるが、本実施形態では、通風口２１の周縁の凹状部背面２２を、筐体１の側壁に当接させてベース部１を固定している。
【００５２】
（実施形態７）
上記実施形態１〜６では、ベース部１を、凹状に形成し、この凹状部の内側をフィルタ収納部３としているが、実施形態７では、図１１、１２に示すように、外側フィルタ脱落防止部材５１および内側フィルタ脱落防止部材５２の裏面にフィルタ収納部３を形成し、片方もしくは双方のフィルタ収納部３で、フィルタ２を挟み込むようにして保持している。
【００５３】
（実施形態８）
上記実施形態３では、内側フィルタ脱落防止部材５２を、ベース部１に回動可能に取り付けて、筐体６の内側からフィルタ２の着脱を行う際には、内側フィルタ脱落防止部材５２を取り外すことなく回動させるだけで、フィルタ着脱用の開口部４を露出させてフィルタ２を着脱することができるようにしたが、実施形態８では、図１３に示すように、内側フィルタ脱落防止部材５２を、ベース部１にスライド可能に取り付けて、筐体６の内側からフィルタ２の着脱を行う際には、内側フィルタ脱落防止部材５２を取り外すことなくスライドさせるだけで、フィルタ着脱用の開口部４を露出させてフィルタ２を着脱することができるようにしている。他の基本構成は実施形態１と同様である。
【００５４】
スライド構造は特に限定されないが、本実施形態では、ベース部１にスライド案内長孔部２３を形成し、内側フィルタ脱落防止部材５２にスライド軸部２４を形成し、スライド軸部２４をスライド案内長孔部２３に沿ってスライド自在に軸支している。
【００５５】
本実施形態では、外側フィルタ脱落防止部材５１は実施形態１と同様に着脱自在に形成しているが、内側フィルタ脱落防止部材５２と同様にスライド可能に形成することもできる。また、スライドの方向も、特に限定されない。
【００５６】
（実施形態９）
上記実施形態１〜６、８では、ベース部１を、凹状に形成し、この凹状部の内側をフィルタ収納部３としているが、実施形態８では、図１４、１５に示すように、独立したフィルタ収納部３を、ベース部１と回動可能に備え、フィルタ２の着脱を行う際には、フィルタ収納部３をベース部１から引き出して作業を行うことができる構造としている。
【００５７】
ベース部１は、前後方向に通風口を設けたボックス形状を有し、筐体６の換気口に、嵌め込まれている。
【００５８】
フィルタ収納部３は、ボックス形状を有し、上面にフィルタ着脱用の開口部４となる開口部が形成されている。当該構造によれば、フィルタ収納部３を前後に回動させるだけで、フィルタ着脱用の開口部４を露出させてフィルタ２を着脱することができる。
【００５９】
フィルタ収納部の前後方向に通風口１０が形成され、この通風口には、通風口からのフィルタ２の脱落を防止すべく、スリット形状のフィルタ脱落防止部２０を設けている。フィルタ脱落防止部２０の形状は、スリット形状に限定されず、その他、三角形状や十字形状など如何なる形状でもよい。
【００６０】
回動構造は特に限定されないが、本実施形態では、フィルタ収納部３の下端部に回動軸部２５と突部２６を形成し、ベース部１の下端部に回動軸受け部（図示しない）と回動案内部２７を形成し、突部２６を回動案内部２７に沿って回動可能に保持している。
【００６１】
ベース部１の上端部には、フィルタ収納部３の回動を規制する可動規制部２８を設けている。フィルタ収納部３をベース部１から引き出す際には、引出方向に位置する可動規制部２８を上方に回動移動させる。
【００６２】
フィルタ収納部３をベース部１内に保持する際には、フィルタ収納部３の側面に形成した係止突起２９を、ベース部１の側面に形成した係止孔３０に係止させた上で、可動規制部２８を下方に回動移動させて、フィルタ収納部３の回動を確実に規制することができる。
【００６３】
（実施形態１０）
上記実施形態９では、独立したフィルタ収納部３を、ベース部１と回動可能に備え、フィルタ収納部３を前後に回動させるだけで、フィルタ収納部３の上面に設けたフィルタ着脱用の開口部４を露出させてフィルタ２を着脱することができる構造にしたが、実施形態９では、図１６に示すように、独立したフィルタ収納部３を、ベース部１にスライド可能に取り付け、フィルタ２の着脱を行う際には、フィルタ収納部３を前後にスライドさせるだけで、フィルタ着脱用の開口部４を露出させてフィルタ２を着脱することができるようにしている。
【００６４】
本実施形態では、ベース部１の側面にスライド案内部３１を形成し、フィルタ収納部３の側面にスライド軸部３２を形成し、スライド軸部３２をスライド案内部３１に沿って前後方向でスライド自在に軸支している。
【００６５】
ベース部１の上端部には、フィルタ収納部３のスライドを規制する可動規制部３３を設けている。フィルタ収納部３をベース部１から引き出す際には、引出方向に位置する可動規制部３３を上方に回動移動させる。
【００６６】
フィルタ収納部３をベース部１内に保持する際には、フィルタ収納部３の側面に形成した係止突起２９を、ベース部１の側面に形成した係止孔３０に係止させた上で、可動規制部３３を下方に回動移動させて、フィルタ収納部３のスライドを確実に規制することができる。
【符号の説明】
【００６７】
１  ベース部
２  フィルタ
３  フィルタ収納部
４  フィルタ着脱用の開口部
４１  フィルタ着脱用の外側開口部
４２  フィルタ着脱用の内側開口部
５  フィルタ脱落防止部材
５１  外側フィルタ脱落防止部材
５２  内側フィルタ脱落防止部材
６  筐体
７  ネジ
８  外側取付部
９  内側取付部
１０  通風口
１１  外側ルーバカバー
１２  サブルーバカバー
１３  フィルタ脱落防止部
１４  回動軸部
１５  長孔部
１６  当接部
１７  規制部
１８  凹状部上面
１９  凹状部背面上端部
２０  フィルタ脱落防止部
２１  通風口
２２  凹状部背面
２３  スライド案内長孔部
２４  スライド軸部
２５  回動軸部
２６  突部
２７  回動案内部
２８  可動規制部
２９  係止突起
３０  係止孔
３１  スライド案内部
３２  スライド軸部
３３  可動規制部
３４  爪部
３５  爪部
３６  開口端部
３７  フィルタ脱落防止片
３８  凹状部側面
３９  凹状部当接部
４０  フィルタ脱落防止片係止部
４３  開放部
【図１】
2014114980.tif 000003
【図２】
2014114980.tif 000004
【図３】
2014114980.tif 000005
【図４】
2014114980.tif 000006
【図５】
2014114980.tif 000007
【図６】
2014114980.tif 000008
【図７】
2014114980.tif 000009
【図８】
2014114980.tif 000010
【図９】
2014114980.tif 000011
【図１０】
2014114980.tif 000012
【図１１】
2014114980.tif 000013
【図１２】
2014114980.tif 000014
【図１３】
2014114980.tif 000015
【図１４】
2014114980.tif 000016
【図１５】
2014114980.tif 000017
【図１６】
2014114980.tif 000018